(57)【要約】【課題】  スプリンクラーヘッドを天井下地材に取付けて固定する際の位置出し作業の手間や時間が削減できるスプリンクラーヘッド配管の取付装置を提供する。【解決手段】  末端にスプリンクラーヘッドＳＨが接続された立下り管１２に対して空回り可能に係合された筒１０と、前記筒１０と係合可能であり天井下地材３０に設置された支持部材２０とを備えており、前記筒１０の外周に形成された螺旋溝１３との係合構造を前記支持部材２０の内周部に形成して、天井ボート設置後にスプリンクラーヘッドの位置出し作業を容易に行えるようにした。【選択図】    図１
0003212851.tif 000002
【実用新案登録請求の範囲】
【請求項１】
末端にスプリンクラーヘッドが接続された立下り管に対して空回り可能に係合された筒と、
前記筒と係合可能であり天井下地材に設置された支持部材と、を備えており、
前記筒の外周に形成された溝または突起との係合構造が前記支持部材の内周部に形成されていることを特徴とするスプリンクラーヘッド配管の取付装置。
【請求項２】
前記支持部材の内周部に形成された係合構造は、前記筒の外周に形成された溝または突起と螺合可能なネジ構造である請求項１記載のスプリンクラーヘッド配管の取付装置。
【請求項３】
前記筒は立下り管の末端部に設置される請求項１または請求項２記載のスプリンクラーヘッド配管の取付装置。
【請求項４】
前記筒の下端に外側に拡張された鍔部を有する請求項１〜請求項３何れか１項記載のスプリンクラーヘッド配管の取付装置。
【請求項５】
スプリンクラーヘッドの外周部に取付けられる筒部と筒部の下方に皿部を有するシーリングプレートと、
前記筒部と係合可能であり天井下地材に設置された支持部材と、を備えており、
前記筒部の外周に形成された溝または突起との係合構造が前記支持部材の内周部に形成されていることを特徴とするスプリンクラーヘッド配管の取付装置。
【請求項６】
前記筒部の内周にスプリンクラーヘッドを保持する保持部を有する請求項５記載のスプリンクラーヘッド配管の取付装置。
【請求項７】
前記支持部材は、前記筒または前記筒部を内部に収容可能であり、前記筒または前記筒部の中心軸が天井面に対して略垂直に設置される請求項１〜請求項６何れか１項記載のスプリンクラーヘッド配管の取付装置。
【請求項８】
前記支持部材は、天井下地材に取付けられる第１支持部と、筒または筒部と係合する第２支持部から構成される請求項１〜請求項７何れか１項記載のスプリンクラーヘッド配管の取付装置。
【請求項９】
第２支持部は、第１支持部と天井下地材によって挟持される請求項８記載のスプリンクラーヘッド配管の取付装置。
【請求項１０】
第２支持部は、筒または筒部との供回りを防止する回転防止部を備える請求項８または請求項９記載のスプリンクラーヘッド配管の取付装置。
【考案の詳細な説明】
【技術分野】
【０００１】
本考案は、消火用のスプリンクラーヘッドを天井下地材に固定設置する際の取付装置に関するものである。
【背景技術】
【０００２】
スプリンクラーヘッドは建物内の天井面や壁面に設置されている。スプリンクラーヘッドは、一端側に天井裏や壁の内側に敷設された配管と接続可能なノズルを有しており、他端側には感熱分解部が設けられている。平時において感熱分解部はノズルを閉止する弁体を支持している。ノズルの放出方向の延長上にはノズルから放出された消火液を周囲に飛散させるデフレクターを備えている。
【０００３】
こうした従来のスプリンクラーヘッドは、火災が発生すると、先ず火災の熱によって感熱分解部が分解作動する。感熱分解部によって押圧支持されていた弁体は、その支持力を失い配管内の水圧を受けて弁座から離脱し、本体の外部に脱落する。開放したノズルからは配管内の水が放出され、放出された水がデフレクターに衝突して周囲に飛散することで消火を行う。
【０００４】
上記のスプリンクラーヘッドは、天井面や壁面から感熱分解部のみが突出して設置されている。ノズルは天井裏に設置された配管と接続されており、この配管は固定金具によって野縁や野縁受け等の天井下地材に固定されている。特許文献１および特許文献２にはスプリンクラーヘッドが接続された配管と天井下地材との固定構造が記載されている。
【０００５】
スプリンクラーヘッドが接続された配管を天井下地材に固定するときには、スプリンクラーヘッドの天井下面から室内側への突出量を調整する。具体的にはスプリンクラーヘッドに装着されている保護キャップに取付基準線が表示されており、この取付基準線と天井下面の高さ位置が合うようにスプリンクラーヘッドの位置調整をして配管を天井下地材に固定する。
【０００６】
しかしながら、スプリンクラーヘッドが接続された配管を天井下地材に固定する時点では天井ボードが設置されていないので、作業者は天井ボードの厚さを考慮して天井下地材の下面よりも下方に取付基準線の位置を合わせて作業を行っている。その際、定規を使って天井下地材からの距離を測定する。保護キャップの取付基準線と天井下地材の下面との距離に目処を付けて、固定金具を操作して配管を天井下地材に固定する。固定後、再び定規により取付基準線と天井下地材の下面との距離を測定して微調整を行う。
【０００７】
特にマンション等の共同住宅においては天井からのスプリンクラーヘッドの突出量に気を使うため、室内のスプリンクラーヘッドの突出量が均一となるように位置出し作業を丁寧に行っており、スプリンクラーヘッドの位置出し作業は非常に手間や時間がかかるものであった。
【先行技術文献】
【特許文献】
【０００８】
【特許文献１】特開平６−２６１９５６号公報
【特許文献２】特開平７−１５１２６９号公報
【考案の概要】
【考案が解決しようとする課題】
【０００９】
上記問題に鑑み、スプリンクラーヘッドが接続された配管を天井下地材に取付けて固定する際の位置出し作業の手間や時間が削減できるスプリンクラーヘッド配管の取付装置を提供することを目的とする。
【課題を解決するための手段】
【００１０】
上記の目的を達成するために、本考案は以下のスプリンクラーヘッド配管の取付装置を提供する。
すなわち、末端にスプリンクラーヘッドが接続された立下り管に対して空回り可能に係合された筒と、前記筒と係合可能であり天井下地材に設置された支持部材とを備えており、前記筒の外周に形成された溝または突起との係合構造が前記支持部材の内周部に形成されているスプリンクラーヘッド配管の取付装置である。
【００１１】
これによれば、末端にスプリンクラーヘッドが接続された立下り管に設置された筒と、天井下地材に設置された支持部材とを係合させることで、天井下地材にスプリンクラーヘッド配管を係合させることができる。さらに、筒と支持部材との係合構造をネジ構造とすることで天井下地に設置された支持部材に対して筒を回転させることで上下方向に移動可能となり、スプリンクラーヘッドの高さ調整が可能となる。
【００１２】
また筒を立下り管の末端部、つまりスプリンクラーヘッドの近傍に設置することで、天井ボードを設置した後にスプリンクラーヘッドの高さ調整を行う場合に、室内側から天井ボードの穴に工具等を挿通して筒を回転させることができる。その際、筒の下端に外側に拡張された鍔部を形成しておくと、鍔部と工具を係合させて筒部を回転させることができる。
【００１３】
さらに本考案は、スプリンクラーヘッドの外周部に取付けられる筒部と筒部の下方に皿部を有するシーリングプレートと、前記筒部と係合可能であり天井下地材に設置された支持部材と、を備えており、前記筒部の外周に形成された溝または突起との係合構造が前記支持部材の内周部に形成されたスプリンクラーヘッド配管の取付装置である。
【００１４】
これによれば、天井下地材に設置された支持部材と係合可能な筒部をシーリングプレートに設けることで、支持部材と筒部を係合させることで、天井下地材にスプリンクラーヘッド配管を係合させることができる。さらに筒部の内周にスプリンクラーヘッドを保持する保持部を備えており、シーリングプレートに対してスプリンクラーヘッドが所定の位置で保持されることから、シーリングプレートの皿部から室内側に突出するスプリンクラーヘッドの突出量が一定となる。これにより、支持部材と筒部を係合させる際に、皿部の上面が天井ボードに近接させて設置することでスプリンクラーヘッドの高さ位置を容易に揃えることができる。
【００１５】
前述の支持部材は、前記筒または前記筒部を内部に収容可能であり、前記筒または前記筒部の中心軸が天井面に対して略垂直に設置されることで、スプリンクラーヘッドを天井面に対して垂直に設置することができる。また、シーリングプレートの皿部を天井面と略平行に配置することができる。
【００１６】
さらに支持部材は、天井下地材に取付けられる第１支持部と、筒または筒部と係合する第２支持部から構成することも可能である。
【考案の効果】
【００１７】
以上説明したように、本考案のスプリンクラーヘッド配管の取付装置によれば、天井ボードを設置した後にスプリンクラーヘッドの高さ調整を容易に行うことができるので、スプリンクラーヘッドの位置出し作業の手間や時間を削減することができる。
【図面の簡単な説明】
【００１８】
【図１】第１実施形態のスプリンクラーヘッド配管の取付装置の断面図。
【図２】螺旋溝と爪の係合部分の拡大断面図。
【図３】図１の支持部材の平面図であり、（ａ）は角バーに固定設置前の平面図、（ｂ）は角バーに固定設置後の平面図。
【図４】第１実施形態の取付装置の分解斜視図。
【図５】天井下地材にスプリンクラーヘッドを設置した状態の斜視図。
【図６】第１実施形態の取付装置によるスプリンクラーヘッドの設置手順の断面図。
【図７】第１実施形態の支持部材の変形例の分解斜視図。
【図８】第２実施形態のスプリンクラーヘッド配管の取付装置の断面図。
【図９】図８のシーリングプレートと第２支持部材の分解断面図。
【図１０】図８の第１支持部材の平面図であり、（ａ）は第２支持部を設置する前の平面図、（ｂ）は第２支持部を設置した後の平面図。
【図１１】第２実施形態の取付装置によるスプリンクラーヘッドの設置手順の断面図。
【考案を実施するための最良の形態】
【００１９】
第１実施形態（図１〜図６）
第１実施形態のスプリンクラーヘッド配管の取付装置（以下、取付装置とする）１００は、筒１０、支持部材２０から構成される。
【００２０】
筒１０は円筒形状をしており、スプリンクラーヘッドＳＨが末端に接続された立下り管に係合している。本実施形態では立下り管としてフレキシブル配管１１を用いており、その末端の直管部１２に筒１０が空回り可能に係合している。
【００２１】
具体的に説明すると、直管部１２の外径は筒１０の内径よりも小さく、筒１０の内部で直管部１２が空回り可能となっている。さらに直管部１２の外周面には溝１２Ａが刻設されており、この溝１２Ａと係合する突起が筒１０の内周面に形成されている。これにより直管部１２に対して筒１０が空回り可能に係合される。
【００２２】
筒１０の外周には螺旋溝１３が刻設されている。螺旋溝１３は後述する支持部材２０の爪２７と係止可能である。螺旋溝１３の断面形状は図２に示すようにネジ山の下側が筒１０の外周面に対して略垂直に形成した鋸形ネジとなっている。これにより、螺旋溝１３と後述する支持部材２０の爪２７とを強固に係合させることができる。
【００２３】
筒１０の下端には外側に拡張した鍔部１４が設置されている。本実施形態において鍔部１４は筒１０の外周から放射方向に突出した複数の突起によって構成されている。図１に示すように鍔部１４の先端は、スプリンクラーヘッドＳＨの外周縁よりも外側に突出しており、直管部１２にスプリンクラーヘッドＳＨが接続された状態で、鍔部１４の先端に工具を引っ掛けて筒１０を回転させることができる。
【００２４】
図３、図４に示す支持部材２０は、内部に筒１０を収容可能である。支持部材２０は天井下地材３０に取付けられる第１支持部２１と、筒１０と係合する第２支持部２２から構成される。
【００２５】
第１支持部２１は、角バー３１の上面に載置される水平面２１Ａと、水平面２１Ａから角バー３１の外周面に沿って略垂直に屈曲して形成した垂直面２１Ｂ、２１Ｃを有する。角バー３１の断面輪郭形状は略正方形である。
【００２６】
水平面２１Ａは角バー３１の幅よりも広く形成されている。垂直面２１Ｂには牝ネジ２３が設けられており、牝ネジ２３には蝶ネジ２４が螺入される。蝶ネジ２４を角バー３１側に螺入すると、角バー３１は蝶ネジ２４の先端によって垂直面２１Ｂと対向する垂直面２１Ｃ側に押されて移動することができる。
【００２７】
垂直面２１Ｃの下端には、第２支持部２１を係止する段２５を有する。段２５は垂直面２１Ｃの先端を垂直面２１Ｂの方向に屈曲させて形成している。段２５と水平面２１Ａとの間は、角バー３１の幅よりも僅かに広い。垂直面２１Ｃの中心部は、水平面２１Ａから垂直面２１Ｃの下端まで切欠かれた切欠き部２６が形成されている。
【００２８】
第２支持部２２は板材を屈曲させて構成されており、断面がＵ字型ををしている。両端の直線部分２２Ａ、２２Ａの先端は直線部分２２Ａに対して略垂直に折り曲げられ、第１支持部２１の段２５に係合する接続部２２Ｃが形成されている。第２支持部２２の中間の曲線部分２２Ｂの内周部には筒１０の螺旋溝１３と係合可能な爪２７が複数設置されている。
【００２９】
爪２７は第２支持部２２の内周部から斜め上方に向かって形成されている。爪２７は支持部２２を内側に折り曲げて形成している。こうすることで筒１０を第２支持部２２の下から挿通して上方に押し上げると、螺旋溝１３のネジ山の上側の斜面によって爪２７が弾性変形して、筒１０を上方に移動させることができる。
【００３０】
次に第１実施形態の取付装置１００を用いて、スプリンクラーヘッドＳＨを天井下地材３０に設置する手順を説明する。
【００３１】
スプリンクラーヘッドＳＨはフレキシブル管１１および主配管（図示しない）と接続された状態で室内の上部に設置されている。フレキシブル管１１の両端部は、スプリンクラーヘッドＳＨや主配管と接続するためのネジ部を有する直管部１２となっているが、中間部分は撓み性を有しており、巻いた状態で主配管の近傍に備えられている。これらの配管の下方に天井下地材３０が設置された後、フレキシブル管１１を伸ばしてスプリンクラーヘッドＳＨを天井下地材３０に取付ける。
【００３２】
先ず、第２支持部２２の爪２７と筒１０の螺旋溝１３を係合させる。第２支持部２２の直線部分２２Ａ側から筒１０を第２支持部２２の内部に嵌め入れ、爪２７と螺旋溝１３を係合させる。このとき筒１０の上側を第２支持部２２の内部に嵌め入れる。
【００３３】
続いて、第１支持部２１の水平面２１Ａを角バー３１の上に載置して、垂直面２１Ｂを角バー３１に近付ける（図３（ａ）参照）。この状態で垂直面２１Ｃの段部２５の下方から接続部２２Ｃを第１支持部２１の内側に回り込ませて段部２５の上に載置させる。
【００３４】
この状態で蝶ネジ２４を角バー３１の方向に螺入させると、蝶ネジ２４の先端に押されて角バー３１と垂直面２１Ｃとの距離が縮まり、接続部２２Ｃが角バー３１と垂直面２１Ｃによって挟持される（図３（ｂ）参照）。
【００３５】
これにより、第１支持部２１と第２支持部２２から成る支持部材２０を角バー３１に取付けることができる。さらに支持部材２０の内部の爪２７には筒１０の螺旋溝１３が係合されているので、スプリンクラーヘッドＳＨが接続された直管部１２が天井下地材３０に設置された状態となる。
【００３６】
また、接続部２２Ｃは第１支持部２１の水平面２１Ａと段部２５Ａによって上下方向への移動が阻止された状態となる。さらに角バー３１と垂直面２１Ｃによって接続部２２Ｃが挟持されているので、筒１０が回転した際に、第２支持部２２が動いたり第１支持部２１から外れたりすることを防止している。
【００３７】
次に、天井ボードＣを天井下地材３０に設置する（図６（ａ）参照）。天井ボードＣを設置すると、支持部材２０の内部に収容された筒１０の中心軸（図示しない）が天井ボードＣの下面に対して略垂直に設置される。天井ボードＣのスプリンクラーヘッドＳＨが設置される位置には穴４０が穿設されており、スプリンクラーヘッドＳＨは穴４０から室内側に突出した状態にある。
【００３８】
続いて、穴４０からスプリンクラーヘッドＳＨの先端が所定距離だけ突出するように高さ位置の調整を行う。天井ボードＣから室内側に突出しているスプリンクラーヘッドＳＨを上方に押し上げると、爪２７が螺旋溝１３によって弾性変形して螺旋溝１３が爪２７を乗り越えて筒１０を第２支持部２２の奥側（上方）に移動させることができる（図６（ｂ）参照）。
【００３９】
このとき、第２支持部２２は、接続部２２Ｃが水平面２１Ａと段部２５によって上下方向への移動を阻止されているので、筒１０の移動によって第２支持部２２が移動したり、外れたりすることを防止している。
【００４０】
穴４０の内部に鍔部１４が収容されたら、穴４０に工具（図示しない）を挿通させて、筒１０の鍔部１４に工具を係止して筒１０を回転させる。このとき、筒１０の回転動作によって第２支持部２２の接続部２２Ｃが、垂直面２１Ｃと角バー３１によって挟持されているので第２支持部２２が筒１０と供回りすることを防止している。
【００４１】
螺旋溝１３が爪２７に沿って移動することで筒１０はさらに上方に移動するので、天井ボードＣの下面に対してスプリンクラーヘッドＳＨの突出量が適切になるように高さ位置を調整する。具体的には、保護キャップの側面に表示されている取付基準線Ｌと天井ボードＣの下面の高さ位置を合わせる（図６（ｃ）参照）。
【００４２】
最後に、保護キャップをスプリンクラーヘッドＳＨから取り外し、穴４０を覆い隠すためのシーリングプレート４１を設置して作業が完了する（図６（ｄ）参照）。
【００４３】
尚、上記の取付装置１００は、スプリンクラーヘッドＳＨの交換作業においても作業時間や手間を削減することができる。その交換手順として、先ずフレキシブル管１１および主配管の水を抜いて、シーリングプレート４１を取り外す。すると穴４０の奥に鍔部１４が見えるので工具を鍔部１４に係止させ筒１０を回転させ、筒１０の下部を天井ボードＣよりも下に移動させる。
【００４４】
続いて、直管部１２の外部を保持してスプリンクラーヘッドＳＨを回転させ、スプリンクラーヘッドＳＨを直管部１２から取り外す。フレキシブル管１１の内部の残水を排出してから新品のスプリンクラーヘッドＳＨを直管部１２に接続させる。鍔部１４を上方に押し上げ、前述の設置手順と同じようにスプリンクラーヘッドの高さ位置を調整して作業を完了する。
【００４５】
第１実施形態の変形例（図７）
上記に説明した取付装置１００の変形例を図７に示す。図７の支持部材２０は、第１支持部２１の垂直面２１Ｃと、第２支持部２２の接続面２２Ｃに係合構造を設けたものである。具体的には接続面２２Ｃに突起２８を突設し、垂直面２１Ｃの突起２８に対応する位置に穴２９を形成したものである。第２支持部２２を第１支持部２１に取付ける際に突起２８と穴２９を係合させることで、筒１０の移動や回転によって第２支持部２２が外れたり移動することを防止できる。
【００４６】
第２実施形態（図８〜図１１）
第２実施形態の取付装置２００は、シーリングプレート５０と、支持部材６０から構成される。尚、第１実施形態と構成が同じ箇所には同符号を付して詳細な説明は省略する。
【００４７】
シーリングプレート５０は、筒部５１と皿部５２を有している。筒部５１の内部にはスプリンクラーヘッドＳＨを載置可能な段５３が形成されている。段５３はスプリンクラーヘッドＳＨを保持する保持部である。
【００４８】
筒部５１の外周は上端から段部５３まで複数の縦溝によって切欠かれており、複数の舌状部５４が形成されている。舌状部５４の外面には爪５５が刻設されている。爪５５は螺旋状に形成されており、第１実施形態の螺旋溝１３と同様に断面形状が鋸型をしている。爪５５の斜面部分に力が加わると舌状部５４が内側に弾性変形する。
【００４９】
皿部５２は筒部５１の下端に設置されており、外部へ拡張したフランジ形状をしている。皿部５２は外縁に向かって厚さが薄くなるように形成されている。具体的には皿部５２の上面は天井ボードＣと平行な面となっており、下面が緩い傾斜面となっている。皿部５２によって天井ボードＣに穿設された穴４０を覆い隠している。
【００５０】
支持部材６０は、第１支持部６１と第２支持部６２を有する。第１支持部６１は板材を断面コ字型に屈曲させ、上下の水平部６１Ａ、６１Ａとその間の垂直部６１Ｂを備えている。水平部６１Ａは上下に２箇所設置されているが、上下とも同じ形状をしている。水平部６１Ａには第２支持部６２の側面を嵌め入れることができる切欠き６３が形成されている。切欠き６３の先端６３Ａは鉤状になっており、切欠き６３の内側に第２支持部６２を内包している。
【００５１】
垂直部６１Ｂには牝ネジ２３が設けられており、牝ネジ２３には蝶ネジ２４が螺入される。第１支持部６１の内部に角バー３１を挿通させて蝶ネジ２４を角バー３１の方向に螺入すると、角バー３１は切欠き６３の方向に移動する。
【００５２】
第２支持部６２は筒状をしており、内部にスプリンクラーヘッドＳＨおよび直管部１２を挿通可能である。第２支持部６２の内部には螺旋溝６４が形成されている。螺旋溝６４の断面形状は鋸型をしているが、第１実施形態の螺旋溝１３とは上下が逆になっている。螺旋溝６４は爪５５と係合される。
【００５３】
第２支持部６２の上端にはフランジ状の鍔部６５、６５が形成されており、第２支持部６２を切欠き６３の内側に収容すると、鍔部６５が切欠き６３の縁と係合して、第２支持部６２の上下方向への移動を阻止している。
【００５４】
鍔部６５、６５の間の外周部に、第２支持部６２の回転を防止するための凹凸（図示しない）を設けることが可能である。凹凸が角バー３１に当接した状態において、第２支持部の回転を阻止可能である。あるいは、切欠き６３の縁に上記の凹凸を設けても同様の効果を得ることができる。
【００５５】
図８、図９において、第２支持部６２の上端側は鍔部６５が設置された第１支持部６１との接続部となっており、下端側は内部に螺旋溝６４が形成されたシーリングプレート５０との接続部となっている。こうすることで、第１支持部６１の蝶ネジ２４を強くねじ込み過ぎて第２支持部６２の上端側が若干変形しても、螺旋溝６４は変形の影響を受けにくく、筒部５１との係合に支障をきたさないようにしている。
【００５６】
次に第２実施形態の取付装置２００を用いて、スプリンクラーヘッドＳＨを天井下地材３０に設置する手順を図１０、図１１を参照して説明する。
【００５７】
先ず、支持部材６０の第１支持部６１の切欠き６３に第２支持部６２を嵌め入れる。
すると、第２支持部６２の鍔部６５が切欠き６３の縁と係合する。続いて、図１０（ｂ）に示すように角バー３１を第１支持部６１の内側に挿通させて、蝶ネジ２４を角バー３１の方向に螺入させる。
【００５８】
蝶ネジ２４の先端が角バー３１を押して、角バー３１が第２支持部６２側に移動する。第２支持部６２は、角バー３１と切欠き６３の縁によって挟持される。これにより、第１支持部６１と第２支持部６２から成る支持部材６０が角バー３１に取付けられる。
【００５９】
次に第２支持部６２の上方からスプリンクラーヘッドＳＨを挿通させた後、天井下地材３０に天井ボードＣを設置する（図１１（ａ）参照）。
【００６０】
天井ボードＣのスプリンクラーヘッドＳＨが設置される位置には穴４０が穿設されており、穴４０からスプリンクラーヘッドＳＨの先端が所定距離だけ突出するように設置する。具体的には、図１１（ｂ）に示すように保護キャップを取り外したスプリンクラーヘッドＳＨを、シーリングプレート５０の段５３に載置させて保持し、そのまま筒部５１を第２支持部６２の内部に挿通させる。
【００６１】
筒部５１を第２支持部６２に押し込むと、爪５５の斜面が螺旋溝６４によって押圧され、舌状体５４が筒部５１の内側に弾性変形して爪５５が螺旋溝６４を乗り越えて筒部５１を第２支持部６２の奥側（上方）に移動させることができる。さらに筒部５１を上方に移動させ、皿部５２の上面を天井ボードＣの下面に近接させる（図１１（ｃ）参照）。続いて皿部５２を回転させることでシーリングプレート５０を天井ボートＣの下面に接触させて作業が完了する（図１１（ｄ）参照）。
【００６２】
第２実施形態では、シーリングプレート５０に対してスプリンクラーヘッドＳＨが所定の位置で保持されるので、シーリングプレート５０の皿部５２から室内側に突出するスプリンクラーヘッドＳＨの突出量が一定となる。従って、保護キャップの取付基準線Ｌが無くてもスプリンクラーヘッドＳＨの高さ位置を容易に揃えることができる。
【００６３】
第２実施形態の取付装置２００も第１実施形態と同様にスプリンクラーヘッドＳＨの交換作業においても作業時間や手間を削減することができる。その交換手順として、先ずフレキシブル管１１および主配管の水を抜いて、シーリングプレート５０を回転させ支持部材６０から取り外す。
【００６４】
次に、フレキシブル管１１を室内側に引っ張り、直管部１２を天井ボードＣよりも下に移動させる。直管部１２に接続されているスプリンクラーヘッドＳＨを新品と交換する。後は前述の設置手順に従ってスプリンクラーヘッドＳＨを設置する。
【符号の説明】
【００６５】
１００、２００  取付装置
１０  筒
１１  フレキシブル配管
１２  直管部
１３、６４  螺旋溝
１４、６５  鍔部
２０、６０  支持部材
２１、６１  第１支持部
２２、６２  第２支持部
２４  蝶ネジ
２５  段部
２７、５５  爪
３０  天井下地材
３１  角バー
４０  穴
４１、５０  シーリングプレート
５１  筒部
５２  皿部
５３  段
【図１】
0003212851.tif 000003
【図２】
0003212851.tif 000004
【図３】
0003212851.tif 000005
【図４】
0003212851.tif 000006
【図５】
0003212851.tif 000007
【図６】
0003212851.tif 000008
【図７】
0003212851.tif 000009
【図８】
0003212851.tif 000010
【図９】
0003212851.tif 000011
【図１０】
0003212851.tif 000012
【図１１】
0003212851.tif 000013